(57)【要約】【課題】表示部を見ていない搭乗者に反応して表示態様が変更されることを防ぐことができる表示制御装置を得る。【解決手段】判定部４０は、車両の搭乗者の視線情報を取得し、搭乗者の視線方向が表示部５を向いているかを判定する。検出部４１は、搭乗者の開眼情報を取得し、搭乗者の目の状態を検出する。変更部４２は、判定部４０が搭乗者の視線方向が表示部５を向いていると判定し、かつ、検出部４１が検出した搭乗者の目の状態が予め定められた状態である場合に、表示部５の表示態様を変更する。【選択図】図１
2019197417.tif 000002
【特許請求の範囲】
【請求項１】
車両の搭乗者の視線情報を取得し、前記搭乗者の視線方向が表示部を向いているかを判定する判定部と、
前記搭乗者の開眼情報を取得し、前記搭乗者の目の状態を検出する検出部と、
前記判定部が前記搭乗者の視線方向が前記表示部を向いていると判定し、かつ、前記検出部が検出した前記搭乗者の目の状態が予め定められた状態である場合に、前記表示部の表示態様を変更する変更部とを備えることを特徴とする表示制御装置。
【請求項２】
前記検出部が前記搭乗者が目を細めていると検出した場合、前記変更部は、前記表示部の表示を拡大することを特徴とする請求項１記載の表示制御装置。
【請求項３】
前記判定部は、前記表示部の表示の中で前記搭乗者の視線方向が向いている領域を検出し、
前記変更部は、前記領域内の表示を拡大することを特徴とする請求項２記載の表示制御装置。
【請求項４】
前記変更部は、前記領域を囲む拡大鏡を前記表示部に表示させ、前記搭乗者の視線方向の移動に合わせて前記拡大鏡を移動させることを特徴とする請求項３記載の表示制御装置。
【請求項５】
前記判定部は、車両の複数の搭乗者ごとに前記領域を検出することを特徴とする請求項３又は請求項４記載の表示制御装置。
【請求項６】
前記検出部が前記搭乗者が目を細めていると検出した場合、前記変更部は、時間帯に応じて前記表示部の輝度を変更することを特徴とする請求項１から請求項５のうちのいずれか１項記載の表示制御装置。
【請求項７】
前記検出部が前記搭乗者が左目だけを閉じたと検出した場合、前記変更部は、前記表示部の表示をページ送りして、前記搭乗者から見て左側のページが表示されるようにし、
前記検出部が前記搭乗者が右目だけを閉じたと検出した場合、前記変更部は、前記表示部の表示をページ送りして、前記搭乗者から見て右側のページが表示されるようにすることを特徴とする請求項１から請求項６のうちのいずれか１項記載の表示制御装置。
【請求項８】
前記表示部の表示が音楽再生画面である場合であって、前記検出部が前記搭乗者が左目だけを設定時間未満閉じたと検出した場合、前記変更部は、曲戻し処理を指示し、
前記表示部の表示が音楽再生画面である場合であって、前記検出部が前記搭乗者が右目だけを前記設定時間未満閉じたと検出した場合、前記変更部は、曲送り処理を指示することを特徴とする請求項１から請求項７のうちのいずれか１項記載の表示制御装置。
【請求項９】
前記検出部が前記搭乗者が左目だけを前記設定時間以上閉じたと検出した場合、前記変更部は、曲の巻き戻し処理を指示し、
前記検出部が前記搭乗者が右目だけを前記設定時間以上閉じたと検出した場合、前記変更部は、曲の早送り処理を指示することを特徴とする請求項８記載の表示制御装置。
【請求項１０】
請求項１から請求項９のうちのいずれか１項記載の表示制御装置と、
前記表示制御装置により制御される表示部とを備えることを特徴とする表示装置。
【請求項１１】
車両の搭乗者の視線情報を取得し、前記搭乗者の視線方向が表示部を向いているかを判定する判定ステップと、
前記搭乗者の開眼情報を取得し、前記搭乗者の目の状態を検出する検出ステップと、
前記判定ステップにより前記搭乗者の視線方向が前記表示部を向いていると判定され、かつ、前記検出ステップにより検出された前記搭乗者の目の状態が予め定められた状態である場合に、前記表示部の表示態様を変更する変更ステップとをコンピュータに実行させるためのプログラム。
【発明の詳細な説明】
【技術分野】
【０００１】
この発明は、表示部の表示を制御する表示制御装置に関するものである。
【背景技術】
【０００２】
ユーザが手を動かして装置を操作しなくても、表示の拡大等、表示態様を変更できるようにする技術が知られている。
例えば特許文献１には、ユーザの目の開き具合に応じて表示倍率を変更する情報処理装置が記載されている。当該情報処理装置は、ユーザが目を細めた場合に、表示画像を拡大する。
【先行技術文献】
【特許文献】
【０００３】
【特許文献１】特開２０１３−３６４７号公報
【発明の概要】
【発明が解決しようとする課題】
【０００４】
しかしながら、上記特許文献１に記載の処理を、車載の装置例えばカーナビゲーション装置に適用した場合、前を見て運転している運転者が目を細めると、運転者はカーナビゲーション装置を見ていないのに表示が拡大されるという現象が起こる。このように、表示部を見ていない搭乗者に反応して表示態様が変更されるという課題があった。
カーナビゲーション装置等の車載の装置は、運転者以外の搭乗者も見られるように置かれていることが多い。表示部を見ていない運転者が目を細めただけで例えば表示が拡大されると、運転者以外の搭乗者は意図せぬ拡大画面を見ることになり、煩わしさを感じる。
【０００５】
この発明は、上記のような課題を解決するためになされたもので、表示部を見ていない搭乗者に反応して表示態様が変更されることを防ぐことができる表示制御装置を得ることを目的とする。
【課題を解決するための手段】
【０００６】
この発明に係る表示制御装置は、車両の搭乗者の視線情報を取得し、搭乗者の視線方向が表示部を向いているかを判定する判定部と、搭乗者の開眼情報を取得し、搭乗者の目の状態を検出する検出部と、判定部が搭乗者の視線方向が表示部を向いていると判定し、かつ、検出部が検出した搭乗者の目の状態が予め定められた状態である場合に、表示部の表示態様を変更する変更部とを備えることを特徴とするものである。
【発明の効果】
【０００７】
この発明によれば、視線方向が表示部を向いていて、かつ、目の状態が予め定められた状態である場合に表示態様が変更されるので、表示部を見ていない搭乗者に反応して表示態様が変更されることを防ぐことができる。
【図面の簡単な説明】
【０００８】
【図１】実施の形態１に係る表示制御装置を備えた表示装置の構成を示すブロック図である。
【図２】実施の形態１に係る表示制御装置による処理の概要を説明するためのイメージ図である。
【図３】図３Ａ及び図３Ｂは、実施の形態１に係る表示制御装置のハードウェア構成例を示す図である。
【図４】実施の形態１に係る表示装置による処理の一例を示すフローチャートである。
【図５】図５Ａ及び図５Ｂは、実施の形態１の処理のイメージ図である。
【図６】図６Ａ、図６Ｂ及び図６Ｃは、実施の形態１の処理のイメージ図である。
【図７】実施の形態１の処理のイメージ図である。
【図８】実施の形態２に係る表示装置による処理の一例を示すフローチャートである。
【図９】図９Ａ、図９Ｂ及び図９Ｃは、実施の形態２の処理のイメージ図である。
【図１０】図１０Ａ、図１０Ｂ及び図１０Ｃは、実施の形態２の処理のイメージ図である。
【図１１】実施の形態３に係る表示装置による処理の一例を示すフローチャートである。
【図１２】図１２Ａ、図１２Ｂ及び図１２Ｃは、実施の形態３の処理のイメージ図である。
【図１３】実施の形態４に係る表示装置による処理の一例を示すフローチャートである。
【図１４】図１４Ａ、図１４Ｂ及び図１４Ｃは、実施の形態４の処理のイメージ図である。
【図１５】図１５Ａ、図１５Ｂ及び図１５Ｃは、実施の形態４の処理のイメージ図である。
【発明を実施するための形態】
【０００９】
実施の形態１． 
図１は、実施の形態１に係る表示制御装置４を備えた表示装置１の構成を示すブロック図である。表示装置１は、カーナビゲーション装置等、車載の情報装置である。なお、ここでの車載とは、車両と共に移動する状態にあることを指す。したがって、表示装置１は、ダッシュボードにはめ込まれるなどした据え置き型の装置でもよいし、車両に持ち込まれて一時的にダッシュボード等に取り付けられたタブレット端末等でもよい。
表示装置１は、車両信号取得部２、搭乗者監視部３、表示制御装置４、表示部５及び音声出力部６を備える。
【００１０】
車両信号取得部２は、車両の状態を示す車両信号を取得する。車両信号は、ＣＡＮ（Ｃｏｎｔｒｏｌｌｅｒ Ａｒｅａ Ｎｅｔｗｏｒｋ）信号又はＩＬＬ（ｉｌｌｕｍｉｎａｔｉｏｎ）信号等である。
車両信号取得部２は、取得した車両信号を表示制御装置４へ出力する。
車両信号取得部２は、ＥＣＵ（Ｅｌｅｃｔｒｏｎｉｃ Ｃｏｎｔｒｏｌ Ｕｎｉｔ）等と通信可能な通信インタフェースである。
【００１１】
搭乗者監視部３は、搭乗者を監視して、搭乗者の開眼度及び搭乗者の視線方向を検出する。搭乗者とは、車両内にいる人のことを指し、運転者であってもよいし、運転者以外の者であってもよい。搭乗者監視部３は、検出した開眼度を示す開眼情報を表示制御装置４へ出力する。また、搭乗者監視部３は、検出した視線方向を示す視線情報を表示制御装置４へ出力する。搭乗者の視線方向は、例えば、当該搭乗者の目を始点としたベクトルとして表現される。
搭乗者監視部３は、例えば、車両内を撮影範囲とするカメラと、当該カメラが撮影した画像を処理する画像処理装置とを備える。搭乗者が写る画像を用いて、搭乗者の開眼度及び視線方向を検出する処理は周知のものであるので、ここでは詳細な説明は省略する。
【００１２】
表示制御装置４は、判定部４０、検出部４１及び変更部４２を備える。
判定部４０は、搭乗者監視部３により出力された搭乗者の視線情報を取得し、搭乗者の視線方向が表示部５を向いているか、つまり搭乗者が表示部５を見ているかを判定する。判定部４０は、判定結果を検出部４１及び変更部４２へ出力する。
【００１３】
検出部４１は、搭乗者監視部３により出力された搭乗者の開眼情報を取得し、搭乗者の目の状態を検出する。検出部４１は、検出した搭乗者の目の状態を変更部４２へ出力する。
【００１４】
変更部４２は、判定部４０が搭乗者の視線方向が表示部５を向いていると判定し、かつ、検出部４１が検出した搭乗者の目の状態が予め定められた状態である場合に、表示部５の表示態様を変更する。具体的には、変更部４２は、表示部５に表示態様の変更を指示する制御信号を出力する。
【００１５】
表示部５は、変更部４２に制御されて画像を表示する。表示部５は、例えば液晶ディスプレイである。なお、表示部５は、電子ミラーとして実現されてもよい。
【００１６】
音声出力部６は、変更部４２に制御されて音声を出力する。音声出力部６は、スピーカである。
【００１７】
図２は、表示制御装置４による処理の概要を説明するためのイメージ図である。図２は、搭乗者として運転者Ａと助手席の搭乗者Ｂとを示している。
運転者Ａが前を見ているとき、つまり運転者Ａの視線方向が方向Ｄ１であるとき、運転者Ａが目を細めるなどの行動をしても、表示部５の表示態様は変化しない。
一方、運転者Ａが表示部５を見ているとき、つまり運転者Ａの視線方向が方向Ｄ２であるとき、運転者Ａが目を細めるなどの行動をすると、表示部５の表示態様は変化する。
このように、表示制御装置４は、搭乗者が目を細めるなどの行動をした場合、搭乗者の視線方向が表示部５を向いているときに限って表示部５の表示態様を変化させる。
【００１８】
次に、表示制御装置４の判定部４０、検出部４１及び変更部４２のハードウェア構成例について、図３Ａ及び図３Ｂを用いて説明する。
判定部４０、検出部４１及び変更部４２の各部の機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ又はＤＳＰ（Ｄｉｇｉｔａｌ  Ｓｉｇｎａｌ  Ｐｒｏｃｅｓｓｏｒ）とも呼ばれる。
【００１９】
図３Ａは、判定部４０、検出部４１及び変更部４２の各部の機能を、専用のハードウェアである処理回路１０１で実現した場合のハードウェア構成例を示す図である。処理回路１０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、若しくはＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。判定部４０、検出部４１及び変更部４２の各部の機能を別個の処理回路１０１を組み合わせて実現してもよいし、判定部４０、検出部４１及び変更部４２の各部の機能を１つの処理回路１０１で実現してもよい。
【００２０】
図３Ｂは、判定部４０、検出部４１及び変更部４２の各部の機能を、メモリ１０２に格納されるプログラムを実行するＣＰＵ１０３で実現した場合のハードウェア構成例を示す図である。この場合、判定部４０、検出部４１及び変更部４２の各部の機能は、ソフトウェア、ファームウェア、又はソフトウェアとファームウェアとの組合せにより実現される。ソフトウェア及びファームウェアはプログラムとして記述され、メモリ１０２に格納される。ＣＰＵ１０３は、メモリ１０２に格納されたプログラムを読み出して実行することにより、判定部４０、検出部４１及び変更部４２の各部の機能を実現する。すなわち、表示制御装置４は、後述する図４のフローチャートで示すステップＳＴ１〜ステップＳＴ６が結果的に実行されることになるプログラム等を格納するためのメモリ１０２を有する。また、これらのプログラムは、判定部４０、検出部４１及び変更部４２の各部の手順又は方法をコンピュータに実行させるものであるとも言える。ここで、メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク、若しくはＤＶＤ（Ｄｉｇｉｔａｌ  Ｖｅｒｓａｔｉｌｅ  Ｄｉｓｃ）等のディスク状の記録媒体が該当する。
【００２１】
なお、判定部４０、検出部４１及び変更部４２の各部の機能について、一部を専用のハードウェアで実現し、一部をソフトウェア又はファームウェアで実現するようにしてもよい。例えば、判定部４０及び検出部４１については専用のハードウェアとしての処理回路でその機能を実現し、変更部４２については処理回路がメモリに格納されたプログラムを読み出して実行することによってその機能を実現することが可能である。
【００２２】
このように、処理回路は、ハードウェア、ソフトウェア、ファームウェア又はこれらの組合せによって、上記の判定部４０、検出部４１及び変更部４２の各部の機能を実現することができる。
【００２３】
次に、上記のように構成された表示装置１による処理の一例について、図４に示すフローチャートを用いて説明する。
判定部４０は、搭乗者監視部３から搭乗者の視線情報を取得し、搭乗者の視線方向が表示部５を向いているかを判定する（ステップＳＴ１）。ステップＳＴ１の判定を行うために、判定部４０は、表示部５の三次元的な位置情報を不図示の記憶部に記憶している。判定部４０は、判定結果を検出部４１及び変更部４２へ出力する。
【００２４】
搭乗者の視線方向が表示部５を向いていない場合（ステップＳＴ１；ＮＯ）、再度ステップＳＴ１の処理が行われる。
一方、搭乗者の視線方向が表示部５を向いている場合（ステップＳＴ１；ＹＥＳ）、検出部４１は、搭乗者監視部３から搭乗者の開眼情報を取得し、搭乗者の目の状態を検出する。
【００２５】
搭乗者の目の状態とは、搭乗者が通常通りの大きさで目を開いている状態、搭乗者が目を細めている状態、及び、搭乗者が目を閉じている状態等に分類される。各状態は、その状態の持続時間等に応じてさらに細かく分類されてもよい。例えば、搭乗者が目を閉じている状態は、目が閉じられている持続時間に応じて瞬き等の分類がされてもよい。
なお、検出部４１は、搭乗者の通常状態での開眼度を初期値として不図示の記憶部に記憶しており、初期値を参照しながら搭乗者の目の状態を検出する。
【００２６】
そして、検出部４１は、搭乗者の目の状態に変化があるかを判定する（ステップＳＴ２）。ステップＳＴ２では、搭乗者が通常通りの大きさで目を開いている状態ではない場合に、搭乗者の目の状態に変化があるとの判定がされる。
【００２７】
搭乗者の目の状態に変化がない場合（ステップＳＴ２；ＮＯ）、処理はステップＳＴ１へ戻る。
一方、搭乗者の目の状態に変化がある場合（ステップＳＴ２；ＹＥＳ）、検出部４１は、検出した搭乗者の目の状態を変更部４２へ出力する。そして、変更部４２は、検出部４１が検出した搭乗者の目の状態が、搭乗者が目を細めている状態であるかを判定する（ステップＳＴ３）。
【００２８】
搭乗者の目の状態が、搭乗者が目を細めている状態ではない場合（ステップＳＴ３；ＮＯ）、処理はステップＳＴ１へ戻る。
一方、搭乗者の目の状態が、搭乗者が目を細めている状態である場合（ステップＳＴ３；ＹＥＳ）、変更部４２は、表示部５の表示を拡大する（ステップＳＴ４）。このとき、後述の図５Ａ及び図５Ｂに示すように、表示部５の表示の中でも搭乗者の視線方向が向いている領域内の表示が拡大されると好ましい。
【００２９】
続いて、判定部４０は、搭乗者監視部３から搭乗者の視線情報を取得し、搭乗者の視線方向が表示部５を向いているかを判定する（ステップＳＴ５）。
搭乗者の視線方向が表示部５を向いている場合（ステップＳＴ５；ＹＥＳ）、再度ステップＳＴ５の処理が行われる。
一方、搭乗者の視線方向が表示部５を向いていない場合（ステップＳＴ５；ＮＯ）、変更部４２は、ステップＳＴ４で行った表示部５の表示の拡大を元に戻す（ステップＳＴ６）。
なお、ステップＳＴ５及びステップＳＴ６において、搭乗者の目の状態が搭乗者が通常通りの大きさで目を開いている状態になったかに基づき、拡大を元に戻す処理が行われてもよい。
【００３０】
図５Ａ及び図５Ｂは、実施の形態１の処理のイメージ図である。
図５Ａでは、搭乗者は、表示部５の表示の中でも時刻の領域を見ている。図５Ａの状態から搭乗者が目を細めると、図５Ｂに示すように、時刻の領域が拡大される。このように、判定部４０は、表示部５の中で搭乗者の視線方向が向いている領域を検出し、変更部４２は、当該領域内の表示を拡大する。当該領域は、表示部５と搭乗者の視線方向の交点を含む領域である。
図５Ｂには、変更部４２が表示部５に表示させる拡大鏡Ｍも示している。拡大鏡Ｍは、拡大している領域を囲むものである。
【００３１】
変更部４２は、拡大鏡Ｍを図６Ａ、図６Ｂ及び図６Ｃに示すように搭乗者の視線方向の移動に合わせて移動させてもよい。なお、図６Ａ、図６Ｂ及び図６Ｃでは搭乗者が目を細めた状態を保ったまま視線方向を動かした際に拡大鏡Ｍも移動するとしている。しかしながら、表示部５を見る搭乗者が目を細めて拡大鏡Ｍが表示された後、搭乗者が目を通常通りの大きさに開いても、視線方向が表示部５に向いているのなら、搭乗者の視線方向の移動に合わせて拡大鏡Ｍが移動してもよい。
【００３２】
また、搭乗者が複数いる場合、判定部４０によって搭乗者ごとに表示部５の中で視線方向が向いている領域が検出され、当該領域がそれぞれ拡大されてもよい。この場合のイメージ図を図７に示す。図７では、一例として、運転者が「あと３０分」を見ており、助手席の搭乗者が「１６：０５」を見ている場合を示している。
【００３３】
なお、表示部５の中で搭乗者の視線方向が向いている領域内の表示が拡大されるのではなく、当該領域を中心として表示部５の表示が全体的に拡大されてもよい。
【００３４】
以上のように、実施の形態１によれば、搭乗者が表示部５を見ているときに目を細めることで、表示部５の表示が拡大される。したがって、表示部５を見ていない搭乗者が目を細めたことに反応して表示が拡大されてしまうのを防ぐことができる。
【００３５】
また、判定部４０は、表示部５の表示の中で搭乗者の視線方向が向いている領域を検出し、変更部４２は、当該領域内の表示を拡大する。したがって、搭乗者が見たいと思っている領域を拡大することができる。
【００３６】
また、変更部４２は、領域を囲む拡大鏡を表示部５に表示させ、搭乗者の視線方向の移動に合わせて拡大鏡を移動させる。したがって、搭乗者が見たいと思っている領域が変わっても、対応することができる。
【００３７】
また、判定部４０は、車両の複数の搭乗者ごとに、視線方向が向いている領域を検出する。したがって、搭乗者ごとに見たいと思っている領域を拡大することができる。
【００３８】
実施の形態２．
実施の形態２の表示装置１の構成は図１を援用し、実施の形態１で既に説明した構成と同一又は相当する機能を有する構成については、その説明を省略又は簡略化する。
【００３９】
変更部４２は、実施の形態１と同様に、判定部４０が搭乗者の視線方向が表示部５を向いていると判定し、かつ、検出部４１が検出した搭乗者の目の状態が予め定められた状態である場合に、表示部５の表示態様を変更する。しかしながら、実施の形態２では、変更部４２は、表示部５の輝度の観点で処理を行う。
【００４０】
実施の形態２の表示装置１による処理の一例について、図８に示すフローチャートを用いて説明する。
図８のステップＳＴ１〜ステップＳＴ３については、実施の形態１で説明した通りである。
搭乗者の目の状態が、搭乗者が目を細めている状態である場合（ステップＳＴ３；ＹＥＳ）、変更部４２は、表示部５の輝度は閾値以上かを判定する（ステップＳＴ１０）。当該閾値は、後述の図９Ａ〜図９Ｃ及び図１０Ａ〜図１０Ｃを用いた説明における第１閾値又は第２閾値である。
【００４１】
表示部５の輝度が閾値未満である場合（ステップＳＴ１０；ＮＯ）、処理はステップＳＴ１へ戻る。
一方、表示部５の輝度が閾値以上である場合（ステップＳＴ１０；ＹＥＳ）、変更部４２は、時間帯及び車両信号が示すヘッドランプ等の灯火状態を考慮し、表示部５の輝度が搭乗者にとって大きいか小さいかを推測する。そして、変更部４２は、音声出力部６を介して搭乗者に輝度を変更するか確認する（ステップＳＴ１１）。
【００４２】
変更部４２は、搭乗者の考えが輝度を変更しても問題なしであるかを判定する（ステップＳＴ１２）。搭乗者は、例えば、輝度をどうしてほしいかを発言し、表示装置１に音声認識させる。変更部４２は、音声認識の結果をステップＳＴ１２の判定で利用する。
搭乗者が輝度を変更しても問題なしと考えている場合（ステップＳＴ１２；ＹＥＳ）、変更部４２は、表示部５の輝度を変更する（ステップＳＴ１３）。
一方、搭乗者が輝度を変更すると問題があると考えている場合（ステップＳＴ１２；ＮＯ）、表示部５の輝度は変更されずに処理は終わる。
【００４３】
図９Ａ、図９Ｂ及び図９Ｃは、実施の形態２の処理のイメージ図であり、輝度を下げる場合を示している。
図９Ａに示すように、表示部５の輝度が第１閾値以上であり、時間帯が夜間である場合に、搭乗者が表示部５を見ている状態で目を細めると、図９Ｂに示すように音声出力部６から「輝度を変更されますか？」との音声が出力される。このとき、搭乗者は、眩しいと感じたために、目を細めていると考えられる。
そして、搭乗者が「輝度を落として」と発言すると、図９Ｃに示すように表示部５の輝度が下がる。
【００４４】
図１０Ａ、図１０Ｂ及び図１０Ｃは、実施の形態２の処理のイメージ図であり、輝度を上げる場合を示している。
図１０Ａに示すように、表示部５の輝度が第１閾値よりも低い第２閾値以上であり、時間帯が昼間である場合に、搭乗者が表示部５を見ている状態で目を細めると、図１０Ｂに示すように音声出力部６から「輝度を変更されますか？」との音声が出力される。このとき、搭乗者は、周囲の環境に比べて表示部５の表示が暗いと感じたために、目を細めていると考えられる。
そして、搭乗者が「輝度を上げて」と発言すると、図１０Ｃに示すように表示部５の輝度が上がる。
【００４５】
なお、変更部４２は、搭乗者に対して輝度を変更するか確認することなく輝度を変更してもよい。
【００４６】
以上のように、実施の形態２によれば、搭乗者が表示部５を見ているときに目を細めることで、表示部５の輝度が変更される。したがって、表示部５を見ていない搭乗者が目を細めたことに反応して輝度が変更されてしまうのを防ぐことができる。
【００４７】
実施の形態３．
実施の形態３の表示装置１の構成は図１を援用し、実施の形態１で既に説明した構成と同一又は相当する機能を有する構成については、その説明を省略又は簡略化する。
【００４８】
変更部４２は、実施の形態１と同様に、判定部４０が搭乗者の視線方向が表示部５を向いていると判定し、かつ、検出部４１が検出した搭乗者の目の状態が予め定められた状態である場合に、表示部５の表示態様を変更する。しかしながら、実施の形態３では、変更部４２は、表示部５の表示のページ送りの観点で処理を行う。
【００４９】
実施の形態３の表示装置１による処理の一例について、図１１に示すフローチャートを用いて説明する。
変更部４２は、表示部５の表示がページ送り可能な画面であるかを判定する（ステップＳＴ２０）。変更部４２は、表示部５を制御するものであるので、現在の画面に関し、表示部５にページ送り可能なように画面を表示するよう指示したかに基づき、ステップＳＴ２０の判定を行えばよい。
【００５０】
表示部５の表示がページ送り可能な画面ではない場合（ステップＳＴ２０；ＮＯ）、再度ステップＳＴ２０の処理が行われる。
一方、表示部５の表示がページ送り可能な画面である場合（ステップＳＴ２０；ＹＥＳ）、ステップＳＴ１の処理が行われる。ステップＳＴ１の処理については、実施の形態１で説明した通りである。
【００５１】
搭乗者の視線方向が表示部５を向いていない場合（ステップＳＴ１；ＮＯ）、処理はステップＳＴ２０へ戻る。
一方、搭乗者の視線方向が表示部５を向いている場合（ステップＳＴ１；ＹＥＳ）、検出部４１は、搭乗者監視部３から搭乗者の開眼情報を取得し、搭乗者の目の状態を検出して、検出した搭乗者の目の状態を変更部４２へ出力する。そして、変更部４２は、検出部４１が検出した搭乗者の目の状態が、片方の目だけを瞬きした状態であるかを判定する（ステップＳＴ２１）。
【００５２】
搭乗者の目の状態が、片方の目だけを瞬きした状態ではない場合（ステップＳＴ２１；ＮＯ）、処理はステップＳＴ２０へ戻る。
一方、搭乗者の目の状態が、片方の目だけを瞬きした状態である場合（ステップＳＴ２１；ＹＥＳ）、変更部４２は、搭乗者の目の状態が、片方の目だけを瞬きした状態の中でも、左目だけを瞬きした状態であるかを判定する（ステップＳＴ２２）。
搭乗者の目の状態が、左目だけを瞬きした状態である場合（ステップＳＴ２２；ＹＥＳ）、変更部４２は、表示部５の表示をページ送りして、搭乗者から見て左側のページが表示されるようにする（ステップＳＴ２３）。
【００５３】
一方、搭乗者の目の状態が、右目だけを瞬きした状態である場合（ステップＳＴ２２；ＮＯ）、変更部４２は、表示部５の表示をページ送りして、搭乗者から見て右側のページが表示されるようにする（ステップＳＴ２４）。
【００５４】
図１２Ａ、図１２Ｂ及び図１２Ｃは、実施の形態３の処理のイメージ図である。
図１２Ａ及び図１２Ｂに示すように、搭乗者が「ＭＥＮＵ３」のページが表示された表示部５を見ている状態で左目だけを瞬きすると、搭乗者から見て左側のページである「ＭＥＮＵ２」のページが図１２Ｃに示すように表示される。
【００５５】
なお、上記では、搭乗者の瞬き、つまり一瞬の目の閉じによって、ページ送りがされるとした。しかしながら、目の閉じが一瞬であるか否かに拘らず、搭乗者が左目だけを閉じれば左側のページが表示され、搭乗者が右目だけを閉じれば右側のページが表示されるようにしてもよい。
【００５６】
以上のように、実施の形態３によれば、搭乗者が表示部５を見ているときに片方の目だけを閉じることで、ページ送りが行われる。したがって、表示部５を見ていない搭乗者が片方の目だけを閉じたことに反応してページが送られてしまうのを防ぐことができる。
【００５７】
実施の形態４．
実施の形態４の表示装置１の構成は図１を援用し、実施の形態１で既に説明した構成と同一又は相当する機能を有する構成については、その説明を省略又は簡略化する。
【００５８】
変更部４２は、実施の形態１と同様に、判定部４０が搭乗者の視線方向が表示部５を向いていると判定し、かつ、検出部４１が検出した搭乗者の目の状態が予め定められた状態である場合に、表示部５の表示態様を変更する。しかしながら、実施の形態３では、変更部４２は、音楽再生の観点で処理を行う。
【００５９】
実施の形態４の表示装置１による処理の一例について、図１３に示すフローチャートを用いて説明する。
変更部４２は、表示部５の表示が音楽再生画面であるかを判定する（ステップＳＴ３０）。変更部４２は、表示部５を制御するものであるので、現在の画面に関し、表示部５に音楽再生画面を表示するよう指示したかに基づき、ステップＳＴ３０の判定を行えばよい。
表示部５の表示が音楽再生画面ではない場合（ステップＳＴ３０；ＮＯ）、再度ステップＳＴ３０の処理が行われる。
一方、表示部５の表示が音楽再生画面である場合（ステップＳＴ３０；ＹＥＳ）、ステップＳＴ１の処理が行われる。ステップＳＴ１の処理については、実施の形態１で説明した通りである。
【００６０】
搭乗者の視線方向が表示部５を向いていない場合（ステップＳＴ１；ＮＯ）、処理はステップＳＴ３０へ戻る。
一方、搭乗者の視線方向が表示部５を向いている場合（ステップＳＴ１；ＹＥＳ）、検出部４１は、搭乗者監視部３から搭乗者の開眼情報を取得し、搭乗者の目の状態を検出して、検出した搭乗者の目の状態を変更部４２へ出力する。そして、変更部４２は、検出部４１が検出した搭乗者の目の状態が、片方の目だけを瞬きした状態であるかを判定する（ステップＳＴ３１）。
【００６１】
搭乗者の目の状態が、片方の目だけを瞬きした状態である場合（ステップＳＴ３１；ＹＥＳ）、変更部４２は、検出部４１が検出した搭乗者の目の状態が、片方の目だけを瞬きした状態の中でも、左目だけを瞬きした状態であるかを判定する（ステップＳＴ３２）。
搭乗者の目の状態が、左目だけを瞬きした状態である場合（ステップＳＴ３２；ＹＥＳ）、変更部４２は、曲戻し処理を指示する（ステップＳＴ３３）。変更部４２が曲戻し処理を表示部５へ指示すると、表示部５は、再生中の曲の１つ前の曲の音楽再生画面を表示する。また、変更部４２が曲戻し処理を不図示の再生部へ指示すると、当該再生部は、再生中の曲の１つ前の曲の再生を開始する。
【００６２】
一方、搭乗者の目の状態が、右目だけを瞬きした状態である場合（ステップＳＴ３２；ＮＯ）、変更部４２は、曲送り処理を指示する（ステップＳＴ３４）。変更部４２が曲送り処理を表示部５へ指示すると、表示部５は、再生中の曲の１つ次の曲の音楽再生画面を表示する。また、変更部４２が曲送り処理を不図示の再生部へ指示すると、当該再生部は、再生中の曲の１つ次の曲の再生を開始する。
【００６３】
搭乗者の目の状態が、片方の目だけを瞬きした状態ではない場合（ステップＳＴ３１；ＮＯ）、変更部４２は、検出部４１が検出した搭乗者の目の状態が、片方の目だけを瞬き以上に閉じた状態であるかを判定する（ステップＳＴ３５）。つまり、ステップＳＴ３５では、搭乗者が瞬きよりも長い時間片方の目だけを閉じているかが判定される。
搭乗者の目の状態が、片方の目だけを瞬き以上に閉じた状態ではない場合（ステップＳＴ３５；ＮＯ）、処理はステップＳＴ３０へ戻る。
一方、搭乗者の目の状態が、片方の目だけを瞬き以上に閉じた状態である場合（ステップＳＴ３５；ＹＥＳ）、変更部４２は、検出部４１が検出した搭乗者の目の状態が、片方の目だけを瞬き以上に閉じた状態の中でも、左目だけを瞬き以上に閉じた状態であるかを判定する（ステップＳＴ３６）。
【００６４】
搭乗者の目の状態が、左目だけを瞬き以上に閉じた状態である場合（ステップＳＴ３６；ＹＥＳ）、変更部４２は、曲の巻き戻し処理を指示する（ステップＳＴ３７）。変更部４２が曲の巻き戻し処理を表示部５へ指示すると、表示部５は、巻き戻しが行われていることを示す音楽再生画面を表示する。また、変更部４２が曲の巻き戻し処理を不図示の再生部へ指示すると、当該再生部は、再生中の曲を巻き戻す。
【００６５】
一方、搭乗者の目の状態が、右目だけを瞬き以上に閉じた状態である場合（ステップＳＴ３６；ＮＯ）、変更部４２は、曲の早送り処理を指示する（ステップＳＴ３８）。変更部４２が曲の早送り処理を表示部５へ指示すると、表示部５は、早送りが行われていることを示す音楽再生画面を表示する。また、変更部４２が曲の早送り処理を不図示の再生部へ指示すると、当該再生部は、再生中の曲を早送りする。
【００６６】
ステップＳＴ３７又はステップＳＴ３８に続いて、検出部４１は、搭乗者監視部３から搭乗者の開眼情報を取得し、搭乗者の目の状態を検出して、検出した搭乗者の目の状態を変更部４２へ出力する。そして、変更部４２は、検出部４１が検出した搭乗者の目の状態が、両方の目を開けた状態であるかを判定する（ステップＳＴ３９）。
【００６７】
搭乗者の目の状態が、両方の目を開けた状態ではない場合（ステップＳＴ３９；ＮＯ）、再度検出部４１により開眼情報の取得及び搭乗者の目の状態の検出が行われた後に、再度ステップＳＴ３９の処理が行われる。
一方、搭乗者の目の状態が、両方の目を開けた状態である場合（ステップＳＴ３９；ＹＥＳ）、変更部４２は、曲の巻き戻し処理又は曲の早送り処理を終了させ、通常再生処理を指示する（ステップＳＴ４０）。
【００６８】
図１４Ａ、図１４Ｂ及び図１４Ｃは、実施の形態４の処理のイメージ図である。図１４Ａ、図１４Ｂ及び図１４Ｃでは、曲送り処理の場合を示している。
図１４Ａ及び図１４Ｂに示すように、曲Ｂの再生中に搭乗者が表示部５を見ている状態で右目だけを瞬きすると、図１４Ｃに示すように、曲Ｂの１つ次の曲Ｃが再生され、曲Ｃの音楽再生画面が表示される。
【００６９】
図１５Ａ、図１５Ｂ及び図１５Ｃは、実施の形態４の処理のイメージ図である。図１５Ａ、図１５Ｂ及び図１５Ｃでは、曲の早送り処理の場合を示している。
図１５Ａ及び図１５Ｂに示すように、曲Ｂの再生中に搭乗者が表示部５を見ている状態で右目だけを閉じると、図１５Ｃに示すように搭乗者が右目を開けるまで、曲Ｂが早送りされ、早送りが行われていることを示す音楽再生画面が表示される。
【００７０】
なお、上記では、搭乗者が表示部５を見ているときに、片目だけを瞬きした場合は曲戻し処理又は曲送り処理が行われ、片目だけを瞬き以上に閉じた場合は曲の巻き戻し処理又は曲の早送り処理が行われるとした。例えば、瞬きはおよそ０．１秒間の閉じ、瞬き以上はおよそ０．５秒の閉じとして区別可能である。しかしながら、この例に限らず、短めに片目だけを閉じた場合は曲戻し処理又は曲送り処理が行われ、長めに片目だけを閉じた場合は曲の巻き戻し処理又は曲の早送り処理が行われるようにしてよい。つまり、片目だけを設定時間未満閉じた場合は曲戻し処理又は曲送り処理が行われ、片目だけを設定時間以上閉じた場合は曲の巻き戻し処理又は曲の早送り処理が行われるようにしてよい。
【００７１】
また、上記では、ステップＳＴ３９のように搭乗者が目を開けると曲の巻き戻し処理又は曲の早送り処理が終了するとした。しかしながら、左目だけを設定時間以上閉じると曲の巻き戻し処理が始まり、その後搭乗者が左目を開けても曲の巻き戻し処理が継続され、搭乗者が左目だけを再度設定時間以上閉じると、曲の巻き戻し処理が終了するようにしてもよい。曲の早送り処理の場合も同様である。
【００７２】
以上のように、実施の形態４によれば、搭乗者が表示部５を見ているときに片方の目だけを設定時間未満閉じることで曲戻し処理又は曲送り処理が行われる。したがって、表示部５を見ていない搭乗者が片方の目だけを設定時間未満閉じたことに反応して曲戻し処理又は曲送り処理が行われてしまうのを防ぐことができる。
また、実施の形態４によれば、搭乗者が表示部５を見ているときに片方の目だけを設定時間以上閉じることで曲の巻き戻し処理又は曲の早送り処理が行われる。したがって、表示部５を見ていない搭乗者が片方の目だけを設定時間以上閉じたことに反応して曲の巻き戻し処理又は曲の早送り処理が行われてしまうのを防ぐことができる。
【００７３】
なお、本願発明はその発明の範囲内において、各実施の形態の自由な組み合わせ、あるいは各実施の形態の任意の構成要素の変形、もしくは各実施の形態においての任意の構成要素の省略が可能である。
【符号の説明】
【００７４】
１  表示装置、２  車両信号取得部、３  搭乗者監視部、４  表示制御装置、５  表示部、６  音声出力部、４０  判定部、４１  検出部、４２  変更部、１０１  処理回路、１０２  メモリ、１０３  ＣＰＵ。
【図１】
2019197417.tif 000003
【図２】
2019197417.tif 000004
【図３】
2019197417.tif 000005
【図４】
2019197417.tif 000006
【図５】
2019197417.tif 000007
【図６】
2019197417.tif 000008
【図７】
2019197417.tif 000009
【図８】
2019197417.tif 000010
【図９】
2019197417.tif 000011
【図１０】
2019197417.tif 000012
【図１１】
2019197417.tif 000013
【図１２】
2019197417.tif 000014
【図１３】
2019197417.tif 000015
【図１４】
2019197417.tif 000016
【図１５】
2019197417.tif 000017